(57)【要約】【課題】不用意にサーモツマミに触れる事の無い使い勝手の良いアイロンを提供する。【解決手段】ヒータ（図示せず）で加熱され水を気化する気化室（図示せず）を有するベース２と、気化室に水を供給するタンク３と、ベース２の上方に配設され握り部６を有した把手５と、ヒータへの通電を制御してベース２の温度を調節する温度制御手段７と、使用者が温度設定するための操作部９を有し温度制御手段７によって調節されるベース２の温度を設定する回転式のサーモツマミ８と、気化室への水の流れを制御するスチーム釦１０を具備し、把手５の前方に設けた前下がり状の傾斜部１ａにサーモツマミ８と、それより前側にスチーム釦１０を設け、把手５のサーモツマミ８の側面部の周囲に窪み部１１を設けたもので、握り部６を握る手が操作部９に触れにくく操作部９が不用意に回動することはなく、また、窪み部１１を利用して温度設定操作を容易に行なうことができる。【選択図】図１
2006068056.tif 000002
【特許請求の範囲】
【請求項１】
ヒータによって加熱されると共に水を気化させる気化室を有するベースと、前記気化室に供給する水を貯え着脱可能なタンクと、前記ベースの上方に配設され握り部を有した把手と、前記ヒータへの通電を制御して前記ベースの温度を調節する温度制御手段と、使用者が温度設定するための操作部を有し前記温度制御手段によって調節されるベースの温度を設定するサーモツマミと、前記気化室への水の流れを制御するスチーム釦を具備し、前記把手の前方に前下がり状の傾斜部を設け、前記傾斜部に前記サーモツマミと、その前側に前記スチーム釦を設け、さらに前記把手の前記サーモツマミの側面部の周囲に窪み部を設けたアイロン。
【請求項２】
窪み部をサーモツマミの側面後方に延設した請求項１に記載のアイロン。
【請求項３】
操作部の前後方向の長さを、サーモツマミの前後方向の厚み寸法よりも長くした請求項１又は２に記載のアイロン。
【発明の詳細な説明】
【技術分野】
【０００１】
本発明は、衣類等のしわ伸ばしを行うアイロンに関するものである。
【背景技術】
【０００２】
従来、この種のアイロンとして、握り部下方に温度調節部を形成し、アイロン掛けを行う衣類に適した温度に調整できるようにしたものがある（例えば特許文献１参照）。
【０００３】
図４は、前記特許文献１に記載された従来のアイロンを示すものである。以下その構成について説明する。
【０００４】
アイロン本体１２の下方にはヒータ（図示せず）によって加熱され、水を気化させる気化室（図示せず）を有するベース１３と、ベース１３の上方に断熱板１４を介して配置した貯水用のタンク１５と、ベース１３の上方に配設し握り部１６を有した把手１７と、前記ヒータへの通電を制御してベース１３を任意の温度に調節する温度制御手段１８と、温度制御手段１８によって調節されるベース１３の温度を設定するサーモツマミ１９と、気化室への水の流れを制御するスチーム釦２０が設けられている。
【０００５】
以上のように構成されたアイロンについて、その動作を説明する。アイロン掛けをするときは、使用者はアイロン掛けをする衣類に合わせた温度に設定するために、アイロン本体１２に設けたサーモツマミ１９を回動させて任意の温度に調節するようにしていた。
【特許文献１】実開昭５７−１８７２００号公報
【発明の開示】
【発明が解決しようとする課題】
【０００６】
しかしながら、上記従来のアイロンでは、アイロン掛けを行う衣類に適した温度に調節するために、サーモツマミ１９を回動させて温度設定するようにしているが、小型化して使い勝手をよくするために、握り部１６の上面及び下面後方を後下がりに傾斜させると、握り部１６の中央下側にサーモツマミ１９があるために、握り部１６の下方に配設されているサーモツマミ１９までの空間が少なく、アイロン掛け時に握り部１６を把持している手がサーモツマミ１９に触れやすい構成となる。
【０００７】
その結果、サーモツマミ１９を不用意に回動して、知らない間に設定温度が高い方に変更されると衣類を傷め、逆に設定温度が低い方に変更されるとしわ伸ばし効果が低下して、効率よくアイロン掛け作業を行うことができず、使い勝手が非常に悪いという課題があった。
【０００８】
また、アイロン掛け時に温度を再調整するとき、サーモツマミ１９の温度が高く使い勝手が悪いという問題があった。
【０００９】
そこで、サーモツマミ１９を、握り部１６の前方に設ける構成が考えられるが、サーモツマミ１９の操作性を向上させるためにサーモツマミ１９の操作部の高さを長くするとスチーム釦２０の操作性が悪くなり操作部の高さが制限されるので、操作部が操作範囲の両端に位置した時に操作部の操作性が悪くなるという課題があった。
【００１０】
本発明は、前記従来の課題を解決するもので、操作部の操作範囲の両端の位置でも操作を容易にし、使い勝手の良いアイロンを提供することを目的とする。
【課題を解決するための手段】
【００１１】
前記従来の課題を解決するために、本発明のアイロンは、ヒータによって加熱されると共に水を気化させる気化室を有するベースと、前記気化室に供給する水を貯え着脱可能なタンクと、前記ベースの上方に配設され握り部を有した把手と、前記ヒータへの通電を制御して前記ベースの温度を調節する温度制御手段と、使用者が温度設定するための操作部を有し前記温度制御手段によって調節されるベースの温度を設定するサーモツマミと、前記気化室への水の流れを制御するスチーム釦を具備し、前記把手の前方に前下がり状の傾斜部を設け、前記傾斜部に前記サーモツマミと、その前側に前記スチーム釦を設け、さらに前記把手の前記サーモツマミの側面部の周囲に窪み部を設けたもので、使用者がアイロン掛けを行う衣類に適した温度に調整するときに、握り部を把持している手が操作部に触れにくい構成なので、操作部が不用意に回動することはなく、また、窪み部を利用することにより温度設定の操作を容易に設定することができ、使い勝手と安全性の向上を実現することができる。
【発明の効果】
【００１２】
本発明のアイロンは、アイロン掛け時の使い勝手、安全性に優れているものである。
【発明を実施するための最良の形態】
【００１３】
第１の発明は、ヒータによって加熱されると共に水を気化させる気化室を有するベースと、前記気化室に供給する水を貯え着脱可能なタンクと、前記ベースの上方に配設され握り部を有した把手と、前記ヒータへの通電を制御して前記ベースの温度を調節する温度制御手段と、使用者が温度設定するための操作部を有し前記温度制御手段によって調節されるベースの温度を設定するサーモツマミと、前記気化室への水の流れを制御するスチーム釦を具備し、前記把手の前方に前下がり状の傾斜部を設け、前記傾斜部に前記サーモツマミと、その前側に前記スチーム釦を設け、さらに前記把手の前記サーモツマミの側面部の周囲に窪み部を設けたもので、使用者がアイロン掛けを行う衣類に適した温度に調整するときに、握り部を把持している手が操作部に触れにくい構成なので、操作部が不用意に回動することはなく、また、窪み部を利用することにより温度設定の操作を容易に設定することができ、使い勝手と安全性の向上を実現することができる。
【００１４】
第２の発明は、特に、第１の発明の窪み部をサーモツマミの側面後方に延設したもので、サーモツマミ側面部の開口部分が大きくなり、使用者がアイロン掛けをする衣類に合わせた温度に設定するときに操作部を確実に操作することができ、使い勝手と安全性の向上を実現することができる。
【００１５】
第３の発明は、特に、第１又は第２の発明の操作部の前後方向の長さを、サーモツマミの前後方向の厚み寸法よりも長くしたもので、操作部の接触部分が大きくなり、使用者がアイロン掛けをする衣類に合わせた温度に設定するときに操作部を確実に操作することができ、使い勝手と安全性の向上を実現することができる。
【００１６】
以下、本発明の実施の形態について、図面を参照しながら説明する。なお、本実施の形態によって本発明が限定されるものではない。
【００１７】
（実施の形態１）
図１は、本発明の第１の実施の形態におけるアイロンの側面図、図２は、アイロンの上面図である。
【００１８】
図１において、１はアイロン本体で、ベース２はヒータ（図示せず）によって加熱され水を気化させる気化室（図示せず）を有したものであり、タンク３は、貯水用にベース２の上方に断熱板４を介して配置されたものであり、把手５は、ベース２の上方に配設され握り部６を有したものであり、温度制御手段７は、前記ヒータへの通電を制御してベース２の温度を調節するものであり、サーモツマミ８は使用者が温度設定するための操作部９を有し温度設定手段７によって調節されるベース２の温度を回転式で設定するためのものであり、スチーム釦１０は、気化室（図示せず）への水の流れを制御するためのものであり、サーモツマミ８とスチーム釦１０は、把手５の前方に設けた前下がり状の傾斜部１ａにスチーム釦１０をサーモツマミ８より前方に配して設けるとともに、把手５の、サーモツマミ８の側面部周囲に窪み部１１を構成している。
【００１９】
操作部９の高さは、使用者がスチーム釦１０を操作しても操作性を妨げない位置に設定している。
【００２０】
図２において、窪み部１１は、サーモツマミ８の側面後方まで延設されている。
【００２１】
以上のように構成されたアイロンについて、以下その動作、作用を説明する。
【００２２】
まず、サーモツマミ８を、把手５の握り部６前方に設け、使用者が温度設定するために窪み部１１を利用して操作部９を操作するので、従来のアイロンのような操作部を不用意に回動することがなく、また操作範囲の両端に位置したときでも操作性がよくなり、アイロン本体１の使い勝手を向上させることができる。
【００２３】
また、アイロン掛け時に温度を再調整するとき、サーモツマミ８を握り部６の下方から上方前方に設けたので、サーモツマミ８へのベース２からの熱の伝わりが減少し、サーモツマミ８の温度上昇を低く抑えて、再設定時の操作を容易にすることができる。
【００２４】
また、サーモツマミ８の側面後方に窪み部１１を延設したので、サーモツマミ８の側面部の開口部分が大きくなり、使用者がアイロン掛けをする衣類に合わせた温度に設定するときに操作部９を確実に操作することができ、力の弱い子供やお年寄りにとっても使い易いアイロンを提供できるものである。
【００２５】
（実施の形態２）
図３は、本発明の第２の実施の形態におけるアイロン本体の側面図である。なお、上記
第１の実施の形態と同一部分については、同一符号を付してその説明を省略する。
【００２６】
本実施の形態は、図３に示すように、操作部９ａの前後方向の長さを、サーモツマミの前後方向の厚み寸法よりも長くしたものである。他の構成は上記実施の形態１と同じである。
【００２７】
以上のように構成されたアイロン装置について、以下その動作、作用を説明する。
【００２８】
まず、使用者が温度設定するために操作部９ａを操作するときの接触面積が広くなるので、アイロン本体１の使い勝手をさらに向上させることができるものである。また、サーモツマミ８の前後方向の厚さを変更することがないので、握り部６の下方前方とスチーム釦１０との距離の広がりを防止することができ、使い易いアイロンとすることができる。
【産業上の利用可能性】
【００２９】
以上のように、本発明にかかるアイロンは、サーモツマミの操作部を操作したときの安全性、使い勝手に優れているので、衣類等のしわ伸ばしを行うアイロンに限らず、スチーム機能を搭載した各種熱器具にも広く適用できるものである。
【図面の簡単な説明】
【００３０】
【図１】本発明の実施の形態１におけるアイロンのアイロン本体の側面図
【図２】同アイロンの上面図
【図３】本発明の実施の形態２におけるアイロンのアイロン本体の側面図
【図４】従来のアイロンのアイロン本体の側面図
【符号の説明】
【００３１】
１    アイロン本体
１ａ  傾斜部
２    ベース
３    タンク
４    断熱板
５    把手
６    握り部
７    温度制御手段
８    サーモツマミ
９、９ａ  操作部
１０    スチーム釦
１１    窪み部
【図１】
2006068056.tif 000003
【図２】
2006068056.tif 000004
【図３】
2006068056.tif 000005
【図４】
2006068056.tif 000006